(57)【要約】【課題】省スペースかつ簡素な構造であるけれども、執務空間における影の発生を十分に軽減できるタスク照明装置を提供する。【解決手段】本発明によるタスク照明装置は、机５００上における、執務が行われる空間である執務空間５１０Ａを、複数の発光素子１２０によって照明するタスク照明装置である。複数の発光素子１２０は、執務空間５１０Ａの上方に位置するように支持される発光素子１２０ｕと、執務空間５１０Ａの左側および右側にそれぞれ位置するように支持される発光素子１２０ｌおよび１２０ｒとを含むと共に、各照射範囲を執務空間５１０Ａに向けた態勢で支持されている。【選択図】図２
2015202126.tif 000002
【特許請求の範囲】
【請求項１】
机上における、執務が行われる空間である執務空間を、複数の発光素子によって照明するタスク照明装置であって、
前記複数の発光素子は、
前記執務空間の上方に位置するように支持される発光素子と、前記執務空間の左側および右側にそれぞれ位置するように支持される発光素子とを含むと共に、
各照射範囲を前記執務空間に向けた態勢で支持されていることを特徴とするタスク照明装置。
【請求項２】
上向きに突出したアーチ状を呈するように前記執務空間の左側に対応する左端部から該執務空間の右側に対応する右端部まで延在する支持フレームをさらに有し、
前記発光素子は、前記支持フレームのアーチ内側面上に取り付けられている請求項１に記載のタスク照明装置。
【請求項３】
前記支持フレームの前記左端部および前記右端部に結合される対の延長支柱をさらに有する請求項２に記載のタスク照明装置。
【請求項４】
板状または箱状を呈し、前記支持フレームの前記左端部および前記右端部に結合された前記対の延長支柱を支持する支持ベースをさらに有する請求項３に記載のタスク照明装置。
【請求項５】
前記支持フレームは、前記執務空間の前後方向に沿って回動可能に前記対の延長支柱に結合されている請求項３に記載のタスク照明装置。
【請求項６】
前記対の延長支柱は、前記執務空間の前後方向に移動可能に前記支持ベースに支持されている請求項４または５に記載のタスク照明装置。
【請求項７】
可撓性を有し、前記発光素子を搭載した基板をさらに有し、
前記発光素子は、前記基板を介して前記支持フレームのアーチ内側面上に取り付けられている請求項２乃至６のいずれか一項に記載のタスク照明装置。
【請求項８】
前記発光素子に電力を供給する電源部をさらに有し、
前記電源部は、前記延長支柱に内蔵されている請求項３乃至７のいずれか一項に記載のタスク照明装置。
【請求項９】
前記発光素子に電力を供給する電源部をさらに有し、
前記電源部は、前記支持ベースに内蔵されている請求項４乃至７のいずれか一項に記載のタスク照明装置。
【請求項１０】
前記机が配備される執務室の天井または壁面上方に配置され、執務室全体を照明するアンビエント照明装置と、請求項１乃至９のいずれか一項に記載のタスク照明装置とを有し、
前記タスク照明装置は、執務室に配備された複数の机個々に対して配置されると共に、前記執務空間を前記アンビエント照明装置よりも高い照度で照明することを特徴とするタスク・アンビエント照明システム。
【発明の詳細な説明】
【技術分野】
【０００１】
本発明は、机上等に設置され、机上にて執務や作業（以後、単に、執務と呼ぶ）を行うユーザ（執務者）の手元を含む執務空間を照らすことに適したタスク照明装置に関する。
【背景技術】
【０００２】
タスク照明装置は、デスクライト等とも呼ばれ、従前から知られているが、近年では特に、省エネルギ化に有効なタスク・アンビエント照明システムをアンビエント照明装置と共に構成する要素装置として、企業（事務所、工場）、公共施設、官公庁等において導入されている。
【０００３】
この種のタスク照明装置は、例えば、特許文献１、２に開示されている。特許文献１、２に開示されたタスク照明装置は、机上またはその近傍に配置される支持フレームと、支持フレームに取り付けられた複数のＬＥＤ素子等の発光素子とを備えている。支持フレームは、対の縦フレーム部と、縦フレーム部間に橋架され、直線状を呈する横フレーム部とから成っている。また、複数の発光素子は、支持フレームの横フレーム部に光軸が下方または下方かつ前方を向くように取り付けられている。
【０００４】
また、特許文献１、２に開示されたようなタスク照明装置ではないが、特許文献３には、複数の発光素子を備えた照明装置が開示されている。特許文献３に開示された照明装置において、複数の発光素子は、円環状に形成された帯状基板の内側面に光軸が帯状基板の円環の中心かつ側方を向くように配置されている。
【先行技術文献】
【特許文献】
【０００５】
【特許文献１】特開２０１０−２３１９２４号公報
【特許文献２】特開２０１１−２２２３４２号公報
【特許文献３】特開２０１３−８０６０６号公報
【発明の概要】
【発明が解決しようとする課題】
【０００６】
ところで、タスク照明装置は、その光源（発光素子）が、アンビエント照明装置に比べて執務空間の近くに位置する。このため、執務者の手や腕、頭によって執務空間に濃い影を生じ易い。そのような影は、執務の妨げになるため、改善が望まれる。
【０００７】
例えば、特許文献１、２に開示されたタスク照明装置は、複数の光源が横フレーム部の全長に亘って、即ち、幅広い範囲に亘って配置されているため、執務空間における影の発生を、ある程度は軽減できると考えられるが、十分ではない。
【０００８】
また、特許文献３に開示された照明装置は、複数の発光素子の光軸が円環状に形成された帯状基板の円環中心を向くように配置されているため、写真撮影の照明用として、明るく影のできにくい撮影をすることができると記載されている。しかし、この照明装置をタスク照明装置に適用するためには、帯状基板を机上の執務空間の幅寸法よりも大きい径寸法の円環状に構成しなければならず、設置スペースやコストの点で実用的ではない。
【０００９】
さらにまた、医療用や工業用の無影照明装置が従前より知られているが、そのような無影照明装置は、複数の発光素子をパラボラ状に配置した光源ヘッド部を自在フレームによって上下前後左右に移動可能に支持する大型かつ複雑な構成であり、それらをタスク照明装置に適用することは、やはり設置スペースやコストの点で実用的ではない。
【００１０】
それ故、本発明の課題は、省スペースかつ簡素な構造であるけれども、執務空間における影の発生を十分に軽減できるタスク照明装置を提供することである。
【課題を解決するための手段】
【００１１】
本発明によれば、机上における、執務が行われ得る空間である執務空間を、複数の発光素子によって照明するタスク照明装置であって、前記複数の発光素子は、前記執務空間の上方に位置するように支持される発光素子と、前記執務空間の左側および右側にそれぞれ位置するように支持される発光素子とを含むと共に、各照射範囲を前記執務空間に向けた態勢で支持されていることを特徴とするタスク照明装置が得られる。
【００１２】
また、本発明によれば、前記机が配備される執務室の天井または壁面上方に配置され、執務室全体を照明するアンビエント照明装置と、前記タスク照明装置とを有し、前記タスク照明装置は、執務室に配備された複数の机個々に対して配置されると共に、前記執務空間を前記アンビエント照明装置よりも高い照度で照明することを特徴とするタスク・アンビエント照明システムが得られる。
【発明の効果】
【００１３】
本発明によるタスク照明装置は、省スペースかつ簡素な構造であるけれども、執務空間における影の発生を十分に軽減できる。
【図面の簡単な説明】
【００１４】
【図１】本発明の実施形態１によるタスク照明装置を示す斜視図である。
【図２】（ａ）および（ｂ）は、図１に示されたタスク照明装置を示す上面図および正面図である。
【図３】（ａ）は図１に示されたタスク照明装置の要部を内カバーを取り外して見た矢視図であり、（ｂ）は当該要部を示す断面図である。
【図４】本発明の実施形態２によるタスク照明装置を示す斜視図である。
【図５】（ａ）および（ｂ）は、図４に示されたタスク照明装置を示す上面図および正面図である。
【図６】図４に示されたタスク照明装置の側面図である。
【図７】本発明の実施形態３によるタスク照明装置を示す斜視図である。
【図８】（ａ）および（ｂ）は、図７に示されたタスク照明装置を示す上面図および正面図である。
【図９】図７に示されたタスク照明装置の側面図である。
【発明を実施するための形態】
【００１５】
本発明によるタスク照明装置は、机上における、執務が行われる空間である執務空間を、複数の発光素子によって照明するタスク照明装置である。
【００１６】
特に、本タスク照明装置においては、複数の発光素子が、執務空間の上方に位置するように支持される発光素子と、執務空間の左側および右側にそれぞれ位置するように支持される発光素子とを含んでいると共に、各照射範囲を執務空間に向けた態勢で支持されている。
【００１７】
上記構成により、本発明によるタスク照明装置は、省スペースかつ簡素な構造であるけれども、執務空間における影の発生を十分に軽減できる。
【００１８】
本発明者による実験によれば、とりわけ、執務空間の左側および右側にそれぞれ位置し、照射範囲を執務空間に向けた態勢で支持される発光素子による光照射が、机上における執務者の手腕や頭部による影を効果的に軽減できるという結果が得られた。
【００１９】
以下、図面を参照して、本発明によるタスク照明装置のより具体的な実施形態を説明する。
【００２０】
［実施形態１］
図１、図２（ａ）および（ｂ）、図３（ａ）および（ｂ）を参照すると、本発明の実施形態１によるタスク照明装置１００は、机上面５００ａを備えた机５００上において、机５００の手前に用意された椅子（図示せず）に着座した執務者による執務や作業が行われる空間である執務空間５１０Ａを、複数（例えば１２０個）の発光素子１２０によって照明する装置である。尚、発光素子としては、例えばＬＥＤ（Light Emitting Diode）等を採用することができ、本例においては、基板上に表面実装される表面実装型ＬＥＤ素子である。
【００２１】
また、タスク照明装置１００は、机５００と同様の机が複数卓配備される執務室の天井または壁面上方に配置され、執務室全体を照明するアンビエント照明装置（図示せず）と共に、タスク・アンビエント照明システムを構成する装置である。タスク照明装置１００は、机５００上の執務空間５１０Ａを、アンビエント照明装置よりも高い照度で照明する。
【００２２】
図１、図２（ａ）および（ｂ）に示されるように、タスク照明装置１００において、複数の発光素子１２０は、執務空間５１０Ａの幅方向（図２（ａ）および（ｂ）中、左右方向）に等間隔で配置されており、執務空間５１０Ａの上方に位置するように支持される発光素子１２０uと、執務空間５１０Ａの左側および右側にそれぞれ位置するように支持される発光素子１２０ｌおよび１２０ｒとを少なくとも含んでいる。
【００２３】
さらに、発光素子１２０u、１２０ｌ、１２０ｒをも含め、複数の発光素子１２０は、各照射範囲が、執務空間５１０Ａに向けられている。
【００２４】
尚、発光素子１２０の照射範囲は、素子に固有の照射角（配光角）と、素子から照射面までの距離とで決まるが、本例においては、発光素子１２０として、照射角１５０度に設計および製造されたＬＥＤ素子を採用している。また、執務空間５１０Ａの位置や寸法は個々の執務内容や執務者個人で異なるため執務空間５１０Ａの中心を特定することはできないが、発光素子１２０の各照射範囲が執務空間５１０Ａの中心付近に向けられていることが好ましく、発光素子１２０の各光軸（照射範囲中心）が執務空間５１０Ａの中心付近に向けられることがさらに好ましい。
【００２５】
図３（ａ）および（ｂ）に示されるように、複数の発光素子１２０は、帯状を呈し、図示しない配線パターンならびに放熱パターンが形成された基板１１０上に、等間隔に並べて表面実装されている。基板１１０は、セラミックス系の主材料と弾性を有する樹脂等の副材料とから成り、可撓性を有していると共に、熱伝導性に優れている。
【００２６】
さらに、複数の発光素子１２０が実装された基板１１０は、アルミニウム等の金属材料から成り、押し出し成形後にアーチ状に曲げ加工された支持フレーム１３０に、図示しない熱伝導性両面テープ、ネジ、ファスニング部材、または支持フレーム１３０に一体形成された係合爪部等を用いて、基板裏面が支持フレーム１３０のアーチ内側面に密着する状態で取り付けられている。本例における支持フレーム１３０のアーチ形状は、半円型であるが、半多角形型であってもよい。いずれにしても、支持フレームは、複数の発光素子として、少なくとも執務空間上方に位置する発光素子と、執務空間の左側および右側にそれぞれ位置する発光素子とを支持できる形状であればよい。尚、支持フレーム１３０は、金属材料から成ると共に、表面積が広い断面形状を呈しているため、発光中に発光素子１２０から発生する熱が高効率に放熱される。
【００２７】
さらに、基板１１０が取り付けられた支持フレーム１３０は、それぞれ樹脂製の外ケース１４０ｏと、内カバー１４０ｉとから成るケーシング１４０に収容されている。少なくとも内カバー１４０ｉは、透明または半透明であるか、あるいは、複数の発光素子を有する照明装置で発生し易い多影現象を抑制するために粗面加工されるか、あるいは、乳白色に色付け成形または塗装が施されてもよい。また、外ケース１４０ｏには、収容し支持フレーム１３０の放熱作用促進のために、支持フレーム１３０に対応する箇所に形成されたスリットを有していてもよい。その場合、スリットを通って粉塵等がケーシング１４０内部に入り込むことがないように、スリットを粉塵等が侵入し難い方向に開口させたり、スリットにひさしを設けてもよい。
【００２８】
さらに、タスク照明装置１００は、支持フレーム１３０（ケーシング１４０）の左右両端が結合された対のフット部１７０と、複数の発光素子１２０に電源を供給すると共に調光や調色などの制御を実行する電源部１８０とを有している。フット部１７０の片方には、電源部１８０と電気的に接続されており、ユーザーインターフェースとして、電源のオン／オフ操作ならびに調整モード等の切替操作を受け付けるボタン１９０ａと、調光モードの際は明暗調整操作を、調色モードの際には光色調整操作を受け付けるダイヤル１９０ｂとが設けられている。
【００２９】
［実施形態２］
本発明の実施形態２に係るタスク照明装置は、対の延長支柱を有し、支持フレームが執務空間の前後方向に沿って回動可能である点が、実施形態１と異なっている。このため、実施形態１と同一または同様の部分については、実施形態１における説明および図面を援用することとし、詳細な説明は省略する。
【００３０】
図４、図５（ａ）および（ｂ）、図６を参照すると、本発明の実施形態２に係るタスク照明装置２００は、実施形態１と同様に、机上面５００ａを備えた机５００上において、机５００の手前に着座した執務者による執務や作業が行われる空間である執務空間５２０Ａを、複数（例えば１２０個）の発光素子によって照明する装置である。尚、発光素子としては、本例においても、基板上に表面実装される、照射角１５０度のＬＥＤ素子である。
【００３１】
また、タスク照明装置２００は、机５００と同様の机が複数卓配備される執務室の天井または壁面上方に配置され、執務室全体を照明するアンビエント照明装置（図示せず）と共に、タスク・アンビエント照明システムを構成する装置である。タスク照明装置２００は、机５００上の執務空間５２０Ａを、アンビエント照明装置よりも高い照度で照明する。
【００３２】
図４、図５（ａ）および（ｂ）に示されるように、タスク照明装置２００において、複数の発光素子は、執務空間５２０Ａの幅方向（図５（ａ）および（ｂ）中、左右方向）に等間隔で配置されており、執務空間５２０Ａの上方に位置するように支持される発光素子２２０ｕと、執務空間５２０Ａの左側および右側にそれぞれ位置するように支持される発光素子２２０ｌおよび２２０ｒとを少なくとも含んでいる。
【００３３】
さらに、発光素子２２０ｕ、２２０ｌ、２２０ｒをも含め、複数の発光素子は、各照射範囲が、執務空間５２０Ａに向けられている。尚、発光素子の各照射範囲が執務空間５２０Ａの中心付近に向けられていることが好ましく、発光素子の各光軸（照射範囲中心）が執務空間５２０Ａの中心付近に向けられることがさらに好ましい。
【００３４】
参照符号は異なるものの、実施形態１の図３（ａ）および（ｂ）を援用的に参照すれば分かるように、実施形態２においても、複数の発光素子は、帯状を呈し、図示しない配線パターンならびに放熱パターンが形成された基板上に、等間隔に並べて表面実装されている。基板は、セラミックス系の主材料と弾性を有する樹脂等の副材料とから成り、可撓性を有していると共に、熱伝導性に優れている。
【００３５】
さらに、複数の発光素子が実装された基板は、アルミニウム等の金属材料から成り、押し出し成形後にアーチ状に曲げ加工された支持フレームに、熱伝導性両面テープ等を用いて、基板裏面が支持フレームのアーチ内側面に密着する状態で取り付けられている。本例における支持フレームのアーチ形状は、半円型であるが、半多角形型であってもよい。いずれにしても、支持フレームは、複数の発光素子として、少なくとも執務空間上方に位置する発光素子と、執務空間の左側および右側にそれぞれ位置する発光素子とを支持できる形状であればよい。尚、支持フレームは、金属材料から成ると共に、表面積が広い断面形状を呈しているため、発光中に発光素子から発生する熱が高効率に放熱される。
【００３６】
さらに、基板が取り付けられた支持フレームは、それぞれ樹脂製の外ケースと、内カバーとから成るケーシングに収容されている。少なくとも内カバーは、透明または半透明であるか、あるいは、複数の発光素子を有する照明装置で発生し易い多影現象を抑制するために粗面加工されるか、あるいは、乳白色に色付け成形または塗装が施されてもよい。また、外ケースには、収容し支持フレームの放熱作用促進のために、支持フレームに対応する箇所に形成されたスリットを有していてもよい。その場合、スリットを通って粉塵等がケーシング内部に入り込むことがないように、スリットを粉塵等が侵入し難い方向に開口させたり、スリットにひさしを設けてもよい。
【００３７】
本実施形態においてはさらに、図４、図５（ｂ）、図６に示されるように、タスク照明装置２００は、支持フレーム（ケーシング２４０）の左右両端に結合される対の延長支柱２５０をさらに有している。
【００３８】
さらにまた、図５（ｂ）に示されるように、タスク照明装置２００は、対の延長支柱２５０の各下端が結合された対のフット部２７０と、複数の発光素子に電源を供給すると共に調光や調色などの制御を実行する電源部２８０とを有している。電源部２８０は、延長支柱２５０の片方に内蔵されている。また、延長支柱２５０の片方には、電源部２８０と電気的に接続されており、ユーザーインターフェースとして、電源のオン／オフ操作ならびに調整モード等の切替操作を受け付けるボタン２９０ａと、調光モードの際は明暗調整操作を、調色モードの際には光色調整操作を受け付けるダイヤル２９０ｂとが設けられている。
【００３９】
図６に示されるように、支持フレーム（ケーシング２４０）は、執務空間５２０Ａの前後方向に沿って前傾角度Ｒｆ（例えば、４５度）＋後傾角度Ｒｒ（例えば、３０度）の範囲で回動可能に対の延長支柱２５０に結合されている。図中、符号２５５は、ノブ付きネジを示しており、執務者は、ノブ付きネジ２５５を緩めてから支持フレーム（ケーシング２４０）を適当な角度まで回動させた後にノブ付きネジ２５５を締めることにより、支持フレーム（ケーシング２４０）が適当な角度に保持される。
【００４０】
本実施形態においては、対の延長支柱によって複数の発光素子が実施形態１よりも高位置にあるため、机上の執務空間が上方に拡大され、執務がし易くなっている。さらに、支持フレームが執務空間の前後方向に沿って回動可能に対の延長支柱に結合されているため、横幅寸法が比較的大きいタスク照明装置全体を持ち上げて前後方向に置き変えるといった面倒な作業を執務者が負うことなく、執務内容により適していると共に影が軽減された照明を実現できる。
【００４１】
［実施形態３］
本発明の実施形態３に係るタスク照明装置は、支持ベースを有し、対の延長支柱が執務空間の前後方向に移動可能である点が、実施形態２と異なっている。このため、実施形態２と同一または同様の部分については、実施形態２における説明および図面を援用することとし、詳細な説明は省略する。
【００４２】
図７、図８（ａ）および（ｂ）、図９を参照すると、本発明の実施形態３に係るタスク照明装置３００は、実施形態１、２と同様に、机上面５００ａを備えた机５００上において、机５００の手前に着座した執務者による執務や作業が行われる空間である執務空間５３０Ａを、複数（例えば１２０個）の発光素子によって照明する装置である。尚、発光素子としては、本例においても、基板上に表面実装される、照射角１５０度のＬＥＤ素子である。
【００４３】
また、タスク照明装置３００は、机５００と同様の机が複数卓配備される執務室の天井または壁面上方に配置され、執務室全体を照明するアンビエント照明装置（図示せず）と共に、タスク・アンビエント照明システムを構成する装置である。タスク照明装置３００は、机５００上の執務空間５３０Ａを、アンビエント照明装置よりも高い照度で照明する。
【００４４】
図７、図８（ａ）および（ｂ）に示されるように、タスク照明装置３００において、複数の発光素子は、執務空間５３０Ａの幅方向（図８（ａ）および（ｂ）中、左右方向）に等間隔で配置されており、執務空間５３０Ａの上方に位置するように支持される発光素子３２０ｕと、執務空間５３０Ａの左側および右側にそれぞれ位置するように支持される発光素子３２０ｌおよび３２０ｒとを少なくとも含んでいる。
【００４５】
さらに、発光素子３２０ｕ、３２０ｌ、３２０ｒをも含め、複数の発光素子は、各照射範囲が、執務空間５３０Ａに向けられている。尚、発光素子の各照射範囲が執務空間５３０Ａの中心付近に向けられていることが好ましく、発光素子の各光軸（照射範囲中心）が執務空間５３０Ａの中心付近に向けられることがさらに好ましい。
【００４６】
参照符号は異なるものの、実施形態１の図３（ａ）および（ｂ）を援用的に参照すれば分かるように、実施形態２においても、複数の発光素子は、帯状を呈し、図示しない配線パターンならびに放熱パターンが形成された基板上に、等間隔に並べて表面実装されている。基板は、セラミックス系の主材料と弾性を有する樹脂等の副材料とから成り、可撓性を有していると共に、熱伝導性に優れている。
【００４７】
さらに、複数の発光素子が実装された基板は、アルミニウム等の金属材料から成り、押し出し成形後にアーチ状に曲げ加工された支持フレームに、熱伝導性両面テープ等を用いて、基板裏面が支持フレームのアーチ内側面に密着する状態で取り付けられている。本例における支持フレームのアーチ形状は、半円型であるが、半多角形型であってもよい。いずれにしても、支持フレームは、複数の発光素子として、少なくとも執務空間上方に位置する発光素子と、執務空間の左側および右側にそれぞれ位置する発光素子とを支持できる形状であればよい。尚、支持フレームは、金属材料から成ると共に、表面積が広い断面形状を呈しているため、発光中に発光素子から発生する熱が高効率に放熱される。
【００４８】
さらに、基板が取り付けられた支持フレームは、それぞれ樹脂製の外ケースと、内カバーとから成るケーシングに収容されている。少なくとも内カバーは、透明または半透明であるか、あるいは、複数の発光素子を有する照明装置で発生し易い多影現象を抑制するために粗面加工されるか、あるいは、乳白色に色付け成形または塗装が施されてもよい。また、外ケースには、収容し支持フレームの放熱作用促進のために、支持フレームに対応する箇所に形成されたスリットを有していてもよい。その場合、スリットを通って粉塵等がケーシング内部に入り込むことがないように、スリットを粉塵等が侵入し難い方向に開口させたり、スリットにひさしを設けてもよい。
【００４９】
本実施形態においても、図７、図８（ｂ）、図９に示されるように、タスク照明装置３００は、支持フレーム（ケーシング３４０）の左右両端に結合される対の延長支柱３５０をさらに有している。
【００５０】
さらに、本実施形態において、図７、図８（ａ）および（ｂ）、図９に示されるように、タスク照明装置３００は、箱状を呈し、支持フレーム（ケーシング３４０）の左端部および右端部に結合された対の延長支柱３５０を支持する支持ベース３６０をさらに有している。
【００５１】
さらにまた、図８（ｂ）に示されるように、タスク照明装置３００は、複数の発光素子に電源を供給すると共に調光や調色などの制御を実行する電源部３８０を有している。電源部３８０は、支持ベース３６０に内蔵されている。また、支持ベース３６０の前面には、電源部３８０と電気的に接続されており、ユーザーインターフェースとして、電源のオン／オフ操作ならびに調整モード等の切替操作を受け付けるボタン３９０ａと、調光モードの際は明暗調整操作を、調色モードの際には光色調整操作を受け付けるダイヤル３９０ｂとが設けられている。
【００５２】
支持ベース３６０の前面にはさらに、ＵＳＢ（Universal Serial Bus）ソケット３９５が設けられている。電源部３８０の一部回路を共用することにより、ＵＳＢソケット３９５から電圧５Ｖおよび１２Ｖの直流電源を供給することができる。あるいは、ＵＳＢハブ機能を持たせると共に、執務者が利用可能なパーソナルコンピュータとデータ信号を入出力できるようにし、ＵＳＢソケット３９５を介してＵＳＢ周辺機器をパーソナルコンピュータに接続できるようにしてもよい。
【００５３】
図９に示されるように、支持フレーム（ケーシング３４０）は、執務空間５３０Ａの前後方向に沿って前傾角度Ｒｆ（例えば、４５度）＋後傾角度Ｒｒ（例えば、３０度）の範囲で回動可能に対の延長支柱３５０に結合されている。図中、符号３５５は、ノブ付きネジを示しており、執務者は、ノブ付きネジ３５５を緩めてから支持フレーム（ケーシング３４０）を適当な角度まで回動させた後にノブ付きネジ３５５を締めることにより、支持フレーム（ケーシング３４０）が適当な角度に保持される。
【００５４】
さらに、支持フレーム（ケーシング３４０）が結合された対の延長支柱３５０は、執務空間５３０Ａの前後方向に前進位置Ｓｆ＋後退位置Ｓの範囲で移動に支持ベース３６０に結合されている。図中、符号３６５は、ノブ付きネジを示しており、執務者は、ノブ付きネジ３６５を緩めてから支持フレーム（ケーシング３４０）が結合された対の延長支柱３５０を適当な位置まで移動させた後にノブ付きネジ３６５を締めることにより、支持フレーム（ケーシング３４０）が適当な位置に保持される。
【００５５】
本実施形態においては、対の延長支柱によって複数の発光素子が実施形態１よりも高位置にあるため、机上の執務空間が上方に拡大され、執務がし易くなっている。さらに、支持フレームが執務空間の前後方向に沿って回動可能であることに加え、前後方向に移動も可能であるため、横幅寸法が比較的大きいタスク照明装置全体を持ち上げて前後方向に置き変えるといった面倒な作業を執務者が負うことなく、執務内容にさらに適していると共に影がより軽減された照明を実現できる。
【００５６】
上記の実施形態の一部または全部は、以下の付記のようにも記載され得るが、以下には限られない。
【００５７】
（付記１）
机上における、執務が行われる空間である執務空間を、複数の発光素子によって照明するタスク照明装置であって、
前記複数の発光素子は、
前記執務空間の上方に位置するように支持される発光素子と、前記執務空間の左側および右側にそれぞれ位置するように支持される発光素子とを含むと共に、
各照射範囲を前記執務空間に向けた態勢で支持されていることを特徴とするタスク照明装置。
【００５８】
（付記２）
上向きに突出したアーチ状を呈するように前記執務空間の左側に対応する左端部から該執務空間の右側に対応する右端部まで延在する支持フレームをさらに有し、
前記発光素子は、前記支持フレームのアーチ内側面上に取り付けられている付記１に記載のタスク照明装置。
【００５９】
（付記３）
前記支持フレームの前記左端部および前記右端部に結合される対の延長支柱をさらに有する付記２に記載のタスク照明装置。
【００６０】
（付記４）
板状または箱状を呈し、前記支持フレームの前記左端部および前記右端部に結合された前記対の延長支柱を支持する支持ベースをさらに有する付記３に記載のタスク照明装置。
【００６１】
（付記５）
前記支持フレームは、前記執務空間の前後方向に沿って回動可能に前記対の延長支柱に結合されている付記３に記載のタスク照明装置。
【００６２】
（付記６）
前記対の延長支柱は、前記執務空間の前後方向に移動可能に前記支持ベースに支持されている付記４または５に記載のタスク照明装置。
【００６３】
（付記７）
可撓性を有し、前記発光素子を搭載した基板をさらに有し、
前記発光素子は、前記基板を介して前記支持フレームのアーチ内側面上に取り付けられている付記２乃至６のいずれかに記載のタスク照明装置。
【００６４】
（付記８）
前記発光素子に電力を供給する電源部をさらに有し、
前記電源部は、前記延長支柱に内蔵されている付記３乃至７のいずれかに記載のタスク照明装置。
【００６５】
（付記９）
前記発光素子に電力を供給する電源部をさらに有し、
前記電源部は、前記支持ベースに内蔵されている付記４乃至７のいずれかに記載のタスク照明装置。
【００６６】
（付記１０）
前記机が配備される執務室の天井または壁面上方に配置され、執務室全体を照明するアンビエント照明装置と、付記１乃至９のいずれかに記載のタスク照明装置とを有し、
前記タスク照明装置は、執務室に配備された複数の机個々に対して配置されると共に、前記執務空間を前記アンビエント照明装置よりも高い照度で照明することを特徴とするタスク・アンビエント照明システム。
【産業上の利用可能性】
【００６７】
本発明は、以上説明した実施形態に限定されることなく、特許請求の範囲に記載された技術範囲内であれば、種々の変形が可能であることは云うまでもない。
【符号の説明】
【００６８】
１００、２００、３００    タスク照明装置
１１０    基板
１２０    発光素子
１３０    支持フレーム
１４０、２４０、３４０    ケーシング
１４０ｉ  内カバー
１４０ｏ  外ケース
１７０、２７０    フット部
１８０、２８０、３８０    電源部
１９０ａ、２９０ａ、３９０ａ  ボタン
１９０ｂ、２９０ｂ、３９０ｂ  ダイヤル
２５０、３５０    延長支柱
２５５、３５５、３６５    ノブ付きネジ
３６０    支持ベース
３９５    ＵＳＢソケット
５００    机
５００ａ  机上面
５１０Ａ、５２０Ａ、５３０Ａ  執務空間
【図１】
2015202126.tif 000003
【図２】
2015202126.tif 000004
【図３】
2015202126.tif 000005
【図４】
2015202126.tif 000006
【図５】
2015202126.tif 000007
【図６】
2015202126.tif 000008
【図７】
2015202126.tif 000009
【図８】
2015202126.tif 000010
【図９】
2015202126.tif 000011